【手続補正書】
【提出日】令和1年10月10日(2019.10.10)
【手続補正１】
【補正対象書類名】特許請求の範囲
【補正対象項目名】全文
【補正方法】変更
【補正の内容】
【特許請求の範囲】
【請求項１】
ゴルフコースでの使用に適合した自律型車両であって、
前記自律型車両は、車体フレームと、前記車体フレームに接続されたハウジングと、を備え、
前記ハウジングは、バッグサポートと、１以上の電子ディスプレイと、スマートデバイスチャージ、及び／又はスマートデバイス通信配列とを有し、
前記スマートデバイスチャージは、（ａ）スマートデバイスに充電し、（ｂ）前記スマートデバイスに前記自律型車両からのデータを受信させ、及び／又は（ｃ）前記スマートデバイスに前記自律型車両へデータを送信させ、前記スマートデバイス通信配列は、前記自律型車両から遠方に配置されたスマートデバイスと通信するように構成され、前記電子ディスプレイは、（ａ）ユーザに情報を提供し、（ｂ）前記自律型車両に関する情報を提供し、（ｃ）前記ユーザに情報を入力させることを許可し、（ｄ）前記自律型車両の操作のためプログラム情報が入力されることを許可し、及び／又は（ｅ）前記自律型車両の操作について設定情報が入力されることを許可するように構成され、
前記車体フレームに接続され、前記自律型車両を移動させるように構成される駆動機構と、
処理システムと通信し、前記自律型車両のまわりの物体を検知するように構成された一つ以上のセンサを含み、前記処理システムに情報を送信し、その情報を、前記自律型車両が、検知された物体と衝突又は接触を回避するように使用できる、衝突回避／ナビゲーション配列と、
を備える自律型車両。
【請求項２】
前記バッグサポートの背面は、ゴルフバッグが前記ハウジングに載置されたときに前記ゴルフバッグの一部を支持するように構成された、
請求項１に記載の自律型車両。
【請求項３】
前記センサの少なくとも一つは、超広帯域の帯域幅センサ、カメラ、Ｂｌｕｅｔｏｏｔｈ（登録商標）センサ、ＲＦベースセンサ、超音波センサ、ＷｉＦｉセンサ、ＬＩＤＡＲセンサ、ＧＰＳセンサ、ＬＯＲＡＮセンサ、モバイルフォンセンサ、横方向センサ、傾きセンサ、及びＧＳＭ（登録商標）センサからなる群から選択される、
請求項１又は２に記載の自律型車両。
【請求項４】
複数のセンサは、第１と第２の超広帯域の帯域幅センサを含み、前記第１の超広帯域の帯域幅センサは、前記車体フレームの一方の側に配置され、前記第２の超広帯域の帯域幅センサは、前記車体フレームの他方の側に配置され、前記第１と第２の超広帯域の帯域幅センサは、前記車体フーレムの前端から同一の距離を隔てて配置される、
請求項１から３の何れか１項に記載の自律型車両。
【請求項５】
前記センサの少なくとも一つは、前記車体フレームの前部に配置され、複数の前記超広帯域の帯域幅センサの前方に配置される、
請求項１から４の何れか１項に記載の自律型車両。
【請求項６】
前記センサの少なくとも二つは、互いに隣接して配置され、前記車体フレームの前部で、複数の前記超広帯域の帯域幅センサの前方に配置され、
互いに隣接して配置された前記少なくとも二つのセンサの間隔は、互いに隣接して配置された前記超広帯域の帯域幅センサの間隔より狭い、
請求項１から５の何れか１項に記載の自律型車両。
【請求項７】
前記衝突回避／ナビゲーション配列は、更に（ａ）前記自律型車両の移動中に前記ユーザとの衝突又は接触を避けること、（ｂ）前記自律型車両の移動中に物体との衝突又は接触を避けること、（ｃ）望まない又は制限された場所への前記自律型車両の移動を避けること、及び／又は（ｄ）前記自律型車両を、特定のゴルフホール、ステージエリア、チャージエリア、及び／又は保存エリアへ移動させること、からなる群から選択される一以上の機能を、前記自律型車両に実行させる、
請求項１から６の何れか１項に記載の自律型車両。
【請求項８】
前記衝突回避／ナビゲーション配列は、ＧＰＳシステム、ＬＯＲＡＮシステム、ＧＳＭ（登録商標）システム又はこれらの組合せを含む、
請求項１から７の何れか１項に記載の自律型車両。
【請求項９】
前記電子ディスプレイは、一以上のタイプの情報又は機能を前記ユーザに供給する双方向型ディスプレイであり、前記一以上のタイプの情報又は機能は、（Ｉ）前記ユーザへのゴルフ関連情報と、（ＩＩ）以下の群から選択される情報／機能を含み、
（１）前記自律型車両に関する前記ユーザへの指示情報、
（２）前記自律型車両に関する前記ユーザへの診断／状態情報であり、前記診断／状態情報は、低充電バッテリ情報、満充電バッテリ情報、センサ動作情報、センサ故障情報、ソフトウェアエラー情報、ソフトウェアバージョン、モータの状態情報、及びモータ稼働時間からなる群から選択された１以上の種類の情報を含むこと、
（３）前記自律型車両の前記衝突回避／ナビゲーション配列と通信するスマートデバイス又はシステムとの接続状態、
（４）前記ユーザが前記自律型車両をパワーアップ又はパワーダウンできるようにすること、
（５）前記ユーザ、所有者、貸方、又は借方が、前記自律型車両を承認すること、稼働させること、稼働を停止させること、又はこれらの組合せをできるようにすること、
（６）前記ユーザが前記ユーザに関する情報を入力できるようにすること、及び
（７）前記ユーザがユーザの好みに関する情報を入力できるようにすること、
前記ユーザへの前記ゴルフ関連情報は、
（１）ゴルフスイングのアドバイス、（２）ゴルフコースの地図、（３）特定のホールの地図、（４）グリーンまでの距離、（５）ホールまでの距離、（６）前記自律型車両の位置に基づく推奨クラブ、（７）前記自律型車両の位置に基づく、コース上のゴルフボールを打つ推奨位置、（８）ゴルフホールの推奨戦略、（９）ゴルフコースの地形、（１０）特定のゴルフホールの地形、（１１）ゴルフコースのハザードの位置、（１２）特定のゴルフホールのハザードの位置、（１３）トイレの位置、（１４）カート経路の位置、（１５）次のホールの方向、（１６）クラブハウスの位置、（１７）自律型車両の返却場所、（１８）特定のゴルフホールのパー情報、（１９）ゴルフコースの難易度についての情報、（２０）ゴルフホールの難易度についての情報、（２１）ゴルフコースの履歴、（２２）ゴルフホールの履歴、（２３）日付、（２４）時間、（２５）ＵＳＧＡルール、（２６）スコアカード、（２７）気象情報、（２８）ゴルフコースの渋滞情報、（２９）ユーザのハンディキャップ情報、（３０）更なるティー回数の可能性、（３１）ゴルフコース上の他のゴルファの情報、（３２）コースのスポンサ、（３３）ゴルフ賭金管理、（３４）コース上での遅すぎるプレイに対する警告情報、（３５）風速、（３６）風向、（３７）コンテスト情報、（３８）ユーザのスコア、（３９）ハンディキャップにより調整されたユーザのスコア、（４０）ゴルフコース上のユーザのスコア履歴、（４１）ゴルフホールのユーザのスコア履歴、（４２）会員情報、（４３）ゲスト情報、（４４）ユーザ情報、（４５）会員口座情報、（４６）ユーザの歩いた距離、（４７）ユーザの消費カロリー数、（４８）ユーザの口座の手数料、（４９）ゴルフイベント情報、（５０）将来のゴルフイベント情報やリマインダ、（５１）ティー回数、（５２）ティー回数のリマインダ、（５３）気象助言又は警告、（５４）他のゴルファのスコア、及び（５５）ハンディキャップにより調整された他のゴルファのスコア、の群から選択される情報の一以上のタイプを含む、
請求項１から８の何れか１項に記載の自律型車両。
【請求項１０】
前記スマートデバイスは、スマートフォン、タブレット、ラップトップ、タブレットコンピュータ、ノートパッド、及び前記ユーザへの遠隔送信機からなる群から選択される、
請求項１から９の何れか１項に記載の自律型車両。
【請求項１１】
前記衝突回避／ナビゲーション配列は、前記車体フレームの前部に配置された少なくとも１つの第１のタイプのセンサと、前記第１のタイプの装置の後方に配置された少なくとも１つの第２のタイプのセンサを含み、前記第１のタイプのセンサは、前記第２のタイプのセンサとは相違し、前記第１のタイプの装置は、広帯域の帯域幅センサ、カメラ、Ｂｌｕｅｔｏｏｔｈ（登録商標）センサ、ＲＦベースセンサ、超音波センサ、ＷｉＦｉセンサ、ＬＩＤＡＲセンサ、ＧＰＳセンサ、ＬＯＲＡＮセンサ、スマートデバイスセンサ、横方向センサ、傾きセンサ、及びＧＳＭ（登録商標）センサからなる群から選択され、前記第２のタイプのセンサは、広帯域の帯域幅センサ、カメラ、Ｂｌｕｅｔｏｏｔｈ（登録商標）センサ、ＲＦベースセンサ、超音波センサ、ＷｉＦｉセンサ、ＬＩＤＡＲセンサ、ＧＰＳセンサ、ＬＯＲＡＮセンサ、スマートデバイスセンサ、横方向センサ、傾きセンサ、及びＧＳＭ（登録商標）センサからなる群から選択される、
請求項１から１０の何れか１項に記載の自律型車両。
【請求項１２】
前記衝突回避／ナビゲーション配列は、複数の前記第１のタイプのセンサと、複数の前記第２のタイプのセンサとを含み、互いに隣接して配置された前記第１のタイプのセンサの間隔は、互いに隣接して配置された前記第２のタイプのセンサの間隔より狭い、
請求項１１に記載の自律型車両。
【請求項１３】
前記第１のタイプのセンサは、超音波センサであり、前記第２のタイプのセンサは、広帯域の帯域幅センサである、
請求項１１又は１２に記載の自律型車両。
【請求項１４】
追跡受信機システムを更に備え、
前記処理システムは、前記追跡受信機システムと通信し、
前記追跡受信機システムは、前記ゴルフキャディから遠隔に位置する前記スマートデバイスから信号を受信するように構成され、少なくとも１つの送信機センサを含み、
前記処理システムは、前記追跡受信機システムから信号を受信し、前記追跡受信機システムから受信された信号を使用して前記ゴルフキャディに対する前記スマートデバイスの位置を決定し、前記ゴルフキャディを、前記処理システムによって処理された指示に従って、前記スマートデバイスに関連して移動させるように構成された、
請求項１から１３の何れか１項に記載の自律型車両。
【請求項１５】
前記スマートデバイス内に配置された第１の加速度計と、
前記ゴルフキャディ内に配置された第２の加速度計と、を更に含み、
前記処理システムは、前記第１および第２の加速度計から情報を受信し、前記受信された情報を使用して、前記ゴルフキャディの速度と前記ゴルフキャディの移動方向を制御し、前記ロボットゴルフキャディを停止させ、前記ゴルフキャディが地面の傾斜上に位置するか否かを判定し、前記ゴルフキャディが転倒する状態に近いかを判定し、又はこれらの組み合わせを判定するように構成された、
請求項１４に記載の自律型車両。
【請求項１６】
前記電子ディスプレイが前記バッグサポート上に配置された、
請求項１から１５の何れか１項に記載の自律型車両。
【請求項１７】
前記衝突回避／ナビゲーション配列は、前記ゴルフキャディの移動を容易にするために、前記ゴルフキャディの位置情報を取得するように構成され、前記案内システム、前記処理ユニット、又はこれらの組み合わせは、地図情報を含み、前記位置情報は、前記ゴルフキャディの移動方向を容易にするために前記地図情報と共に使用され、前記案内システムは、ＧＰＳシステム、ＬＯＲＡＮシステム、ＧＳＭ（登録商標）システム、又はこれらの組み合わせを含む、
請求項１から１６の何れか１項に記載の自律型車両。
【請求項１８】
前記ハウジングは、２以上の前記電子ディスプレイ、前記スマートチャージ、及び／又はスマートデバイス通信配列を含む、
請求項１から１７の何れか１項に記載の自律型車両。
【請求項１９】
前記ハウジングは、前記電子ディスプレイ、前記スマートチャージ、及びスマートデバイス通信配列を含む、
請求項１から１７の何れか１項に記載の自律型車両。
【請求項２０】
自律型車両を提供することを含み、
前記自律型車両は、車体フレームと、前記車体フレームに接続されたハウジングと、を備え、
前記ハウジングは、バッグサポートと、１以上の電子ディスプレイと、スマートデバイスチャージ、及び／又はスマートデバイス通信配列とを有し、
前記スマートデバイスチャージは、（ａ）スマートデバイスに充電し、（ｂ）前記スマートデバイスに前記自律型車両からのデータを受信させ、及び／又は（ｃ）前記スマートデバイスに前記自律側車両へデータを送信させ、前記スマートデバイス通信配列は、前記自律型車両から遠方に配置されたスマートデバイスと通信するように構成され、前記電子ディスプレイは、（ａ）ユーザに情報を提供し、（ｂ）前記自律型車両に関する情報を提供し、（ｃ）前記ユーザに情報を入力させることを許可し、（ｄ）前記自律型車両の操作のためプログラム情報が入力されることを許可し、及び／又は（ｅ）前記自律型車両の操作について設定情報が入力されることを許可するように構成され、
前記車体フレームに接続され、前記自律型車両を移動させるように構成される駆動機構と、
処理システムと通信し、前記自律型車両のまわりの物体を検知するように構成された複数のセンサを含み、前記処理システムに情報を送信し、その情報を、前記自律型車両が、検知された物体と衝突又は接触を回避するように使用できる、衝突回避／ナビゲーション配列と、
を備え、
前記自律型車両は、ゴルフコース上を移動し、前記衝突回避／ナビゲーション配列を用いて、前記ゴルフコース上の物体との衝突を回避するように構成される、
ゴルフココース上の自律型車両の移動を制御する方法。
【請求項２１】
前記ゴルフコース上の前記自律型車両の位置情報を取得することと、
前記位置情報と、前記自律型車両に保存された地図情報を比較し、前記ゴルフコース上の前記自律型車両の移動を容易にさせることと、を更に含む、
請求項２０に記載の方法。
【請求項２２】
前記ゴルフコースの許可された及び許可されない位置を指定することと、
前記地図情報と前記位置情報を使用して、前記自律型車両に、前記許可されていない位置から離れるようにナビゲートし、前記許可された位置内の位置に留まるようにさせることと、を更に含む、
請求項２０又は２１に記載の方法。
【請求項２３】
前記自律型車両に、前記ゴルフコース上の前記ユーザの背後で所定の追従距離を維持させ、前記衝突回避／ナビゲーション配列からの情報及び前記スマートデバイスからの情報に少なくとも部分的に基づいて、前記自律型車両の移動経路の物体との潜在的な衝突を回避すること、を更に含む、
請求項２０から２２の何れか１項に記載の方法。
【請求項２４】
前記衝突回避／ナビゲーション配列は更に、（ａ）前記自律型車両の移動中に前記ユーザとの衝突又は接触を避けること、（ｂ）前記自律型車両の移動中に物体との衝突又は接触を避けること、（ｃ）望まない又は制限された場所への前記自律型車両の移動を避けること、及び／又は（ｄ）前記自律型車両を、特定のゴルフホール、ステージエリア、チャージエリア、及び／又は保存エリアへ移動させること、からなる群から選択される一以上の機能を、前記自律型車両に実行させる、
請求項２０から２３の何れか１項に記載の方法。
【請求項２５】
前記衝突回避／ナビゲーション配列は、超広帯域の帯域幅センサ、カメラ、Ｂｌｕｅｔｏｏｔｈ（登録商標）センサ、ＲＦベースセンサ、超音波センサ、ＷｉＦｉセンサ、ＬＩＤＡＲセンサ、ＧＰＳセンサ、ＬＯＲＡＮセンサ、モバイルフォンセンサ、横方向センサ、傾きセンサ、及び／又はＧＳＭ（登録商標）センサを含む、
請求項２０から２４の何れか１項に記載の方法。
【請求項２６】
前記スマートデバイスは、スマートフォン、タブレット、ラップトップ、タブレットコンピュータ、ノートパッド、及び前記ユーザへの遠隔送信機からなる群から選択される、
請求項２０から２５の何れか１項に記載の方法。
【請求項２７】
前記スマートデバイスは、前記自律型車両上に配置された第１の加速度計と第２の加速度計とを含み、
前記衝突回避／ナビゲーション配列は、前記第１および第２の加速度計からの情報を処理し、前記情報を使用して、前記自律型車両の速度、及び／又は前記自律型車両の移動方向を制御するように構成された、
請求項２０から２６の何れか１項に記載の方法。
【請求項２８】
前記電子ディスプレイは、一以上の情報又は機能のタイプを前記ユーザに供給する双方向型ディスプレイであり、前記一以上のタイプの情報又は機能は、以下の群から選択される情報／機能を含み、
（１）前記自律型車両に関する前記ユーザへの指示情報、
（２）前記ユーザへのゴルフ関連情報、
（３）前記自律型車両に関する前記ユーザへの診断／状態情報であり、前記診断／状態情報は、低充電バッテリ情報、満充電バッテリ情報、センサ動作情報、センサ故障情報、ソフトウェアエラー情報、ソフトウェアバージョン、モータの状態情報、及びモータ稼働時間からなる群から選択された１以上の種類の情報を含むこと、
（４）前記自律型車両の前記処理システムと通信するスマートデバイス又はシステムとの接続状態、
（５）ユーザが前記自律型車両をパワーアップ又はパワーダウンできるようにすること、
（６）ユーザ、所有者、貸方、又は借方が、前記自律型車両を承認すること、稼働させること、稼働を停止させること、又はこれらの組合せをできるようにすること、
（７）前記ユーザが前記ユーザに関する情報を入力できるようにすること、及び
（８）前記ユーザがユーザの好みに関する情報を入力できるようにすること、
前記ユーザへのゴルフ関連情報は、
（１）ゴルフスイングのアドバイス、（２）ゴルフコースの地図、（３）特定のホールの地図、（４）グリーンまでの距離、（５）ホールまでの距離、（６）前記自律型車両の位置に基づく推奨クラブ、（７）前記自律型車両の位置に基づく、コース上のゴルフボールを打つ推奨位置、（８）ゴルフホールの推奨戦略、（９）ゴルフコースの地形、（１０）特定のゴルフホールの地形、（１１）ゴルフコースのハザードの位置、（１２）特定のゴルフホールのハザードの位置、（１３）トイレの位置、（１４）カート経路の位置、（１５）次のホールの方向、（１６）クラブハウスの位置、（１７）自律型車両の返却場所、（１８）特定のゴルフホールのパー情報、（１９）ゴルフコースの難易度についての情報、（２０）ゴルフホールの難易度についての情報、（２１）ゴルフコースの履歴、（２２）ゴルフホールの履歴、（２３）日付、（２４）時間、（２５）ＵＳＧＡルール、（２６）スコアカード、（２７）気象情報、（２８）ゴルフコースの渋滞情報、（２９）ユーザのハンディキャップ情報、（３０）更なるティー回数の可能性、（３１）ゴルフコース上の他のゴルファの情報、（３２）コースのスポンサ、（３３）ゴルフ賭金管理、（３４）コース上での遅すぎるプレイに対する警告情報、（３５）風速、（３６）風向、（３７）コンテスト情報、（３８）ユーザのスコア、（３９）ハンディキャップにより調整されたユーザのスコア、（４０）ゴルフコース上のユーザのスコア履歴、（４１）ゴルフホールのユーザのスコア履歴、（４２）会員情報、（４３）ゲスト情報、（４４）ユーザ情報、（４５）会員口座情報、（４６）ユーザの歩いた距離、（４７）ユーザの消費カロリー数、（４８）ユーザの口座の手数料、（４９）ゴルフイベント情報、（５０）将来のゴルフイベント情報やリマインダ、（５１）ティー回数、（５２）ティー回数のリマインダ、（５３）気象助言又は警告、（５４）他のゴルファのスコア、及び（５５）ハンディキャップにより調整された他のゴルファのスコア、の群から選択される情報の一以上のタイプを含む、
請求項２０から２７の何れか１項に記載の方法。
【請求項２９】
前記処理システム、ナビゲーション配列、又はこれらの組合せを前記ゴルフコースの地図情報とともにプログラミングすることと、
前記ゴルフコース上の前記ゴルフキャディの位置情報を取得することと、
前記ゴルフコース上の前記ゴルフキャディの移動を容易にするために、前記位置情報と前記地図情報とを比較することと、を更に含む、
請求項２０から２８の何れか１項に記載の方法。
【請求項３０】
前記衝突回避／ナビゲーション配列は、前記車体フレームの前部に配置された少なくとも１つの第１のタイプのセンサと、前記第１のタイプの装置の後方に配置された少なくとも１つの第２のタイプのセンサを含み、前記第１のタイプのセンサは、前記第２のタイプのセンサとは相違し、前記第１のタイプの装置は、広帯域の帯域幅センサ、カメラ、Ｂｌｕｅｔｏｏｔｈ（登録商標）センサ、ＲＦベースセンサ、超音波センサ、ＷｉＦｉセンサ、ＬＩＤＡＲセンサ、ＧＰＳセンサ、ＬＯＲＡＮセンサ、スマートデバイスセンサ、横方向センサ、傾きセンサ、及びＧＳＭ（登録商標）センサからなる群から選択され、前記第２のタイプのセンサは、広帯域の帯域幅センサ、カメラ、Ｂｌｕｅｔｏｏｔｈ（登録商標）センサ、ＲＦベースセンサ、超音波センサ、ＷｉＦｉセンサ、ＬＩＤＡＲセンサ、ＧＰＳセンサ、ＬＯＲＡＮセンサ、スマートデバイスセンサ、横方向センサ、傾きセンサ、及びＧＳＭ（登録商標）センサからなる群から選択される、
請求項２０から２９の何れか１項に記載の方法。
【請求項３１】
追跡受信機システムを更に備え、
前記処理システムは、前記追跡受信機システムと通信し、
前記追跡受信機システムは、前記自律型車両から遠隔に位置する前記スマートデバイスから信号を受信するように構成され、少なくとも１つの送信機センサを含み、
前記処理システムは、前記追跡受信機システムから信号を受信し、前記追跡受信機システムから受信された信号を使用して前記自律型車両に対する前記スマートデバイスの位置を決定し、前記自律型車両を、前記処理システムによって処理された指示に従って、前記スマートデバイスに関連して移動させるように構成された、
請求項２０から３０の何れか１項に記載の方法。
【請求項３２】
前記スマートデバイス内に配置された第１の加速度計と、
前記自律型車両内に配置された第２の加速度計と、を更に含み、
前記処理システムは、前記第１および第２の加速度計から情報を受信し、前記受信された情報を使用して、前記自律型車両の速度と前記自律型車両の移動方向を制御し、前記自律型車両を停止させ、前記自律型車両が地面の傾斜上に位置するか否かを判定し、前記自律型車両が転倒する状態に近いかを判定し、又はこれらの組み合わせを判定するように構成された、
請求項２０から３１の何れか１項に記載の方法。
【請求項３３】
前記スマートデバイスと前記自律型車両との間に通信接続を形成することと、
前記自律型車両に、前記ユーザを追従させ、前記案内システムを使用して物体との衝突を回避させることと、を更に含む、
請求項２０から３２の何れか１項に記載の方法。
【請求項３４】
前記スマートデバイスの前記自律型車両に対する相対位置を決定することと、
前記自律型車両から前記ユーザまでの距離が所定の距離よりも大きかったときに、前記自律型車両を前記ユーザに向けて移動させることと、を更に含む、
請求項２０から３２の何れか１項に記載の方法。
【請求項３５】
前記電子ディスプレイは、以下の群から選択される一以上のタイプの情報又は機能をユーザに供給する、請求項２０から３４の何れか１項に記載の方法。
（１）前記ゴルフキャディに関連して前記ユーザへ指示情報を提供すること、
（２）前記ゴルフに関連する情報を前記ユーザに提供すること、
（３）前記ゴルフキャディに関する診断／状態情報を前記ユーザに提供し、前記診断／状態情報は、低充電バッテリ、満充電バッテリ、センサ動作、センサ故障、ソフトウェアエラー、ソフトウェアバージョン、モータの状態、及びモータ稼働時間からなる群から選択された１以上のタイプの情報を含むこと、
（４）前記ゴルフキャディの前記処理システムと接続し、スマートデバイス又はシステムとの接続状態を提供すること、
（５）ユーザが前記ゴルフキャディをパワーアップ又はパワーダウンできるようにすること、
（６）ユーザ、所有者、貸方、又は借方が、前記ゴルフキャディを承認すること、稼働させること、稼働を停止させること、又はこれらの組合せをできるようにすること、
（７）ゴルファに関する情報を前記ユーザが入力できるようにすること、及び
（８）前記ユーザがゴルファの好みに関する情報を入力できるようにすること。
【請求項３６】
前記ハウジングは、ゴルフバッグが前記ハウジングに載置されたときに、前記ゴルフバッグの底部を受け入れるゴルフバッグキャビティを含み、
前記バッグサポートは、前記ゴルフバッグキャビティの前方に位置し前記ゴルフバッグキャビティの上面から上方に延出した、
請求項２０から３５の何れか１項に記載の方法。
【請求項３７】
前記電子ディスプレイは、前記バッグサポートの上に配置された、
請求項２０から３６の何れか１項に記載の方法。
【請求項３８】
前記衝突回避／ナビゲーション配列は、前記ゴルフキャディの移動を容易にするために、前記ゴルフキャディの位置情報を取得するように構成され、前記案内システム、前記処理ユニット、又はこれらの組み合わせは、地図情報を含み、前記位置情報は、前記ゴルフキャディの移動方向を容易にするために前記地図情報と共に使用され、前記案内システムは、ＧＰＳシステム、ＬＯＲＡＮシステム、ＧＳＭ（登録商標）システム、又はこれらの組み合わせを含む、
請求項２０から３７の何れか１項に記載の方法。
【請求項３９】
前記ハウジングは、２以上の前記電子ディスプレイ、前記スマートチャージ、及び／又はスマートデバイス通信配列を含む、
請求項２０から３８の何れか１項に記載の方法。
【請求項４０】
前記ハウジングは、前記電子ディスプレイ、前記スマートチャージ、及びスマートデバイス通信配列を含む、
請求項２０から３８の何れか１項に記載の方法。